(57)【要約】      （修正有）【課題】小さい子供や幼児、高齢者にあっても、使いやすく、容易に工作作業ができる板紙を提供する。【解決手段】裏面の白色度が表面と同程度のマニラボール紙又は表裏差がある白ボール紙であって、坪量が２００-２２０g/m２、厚さが０．２２-０．２４mmであって、表面が白色であり、プリンタ印刷可能である工作用ボール紙１からなる。幼児の頭脳や手先の器用さ発達や高齢者の認知症予防などにも有用で、介護施設や学校教育において効率よく教育や指導を行うことが可能になる。【選択図】図１
0003212254.tif 000002
【実用新案登録請求の範囲】
【請求項１】
裏面の白色度が表面と同程度のマニラボール紙又は表裏差がある白ボール紙であって、
坪量が200-220g/m２、厚さが0.22-0.24mmであって、
表面が白色であり、プリンタ印刷可能であることを特徴とする工作用ボール紙。
【請求項２】
坪量が210g/m２、厚さが0.23mmであることを特徴とする請求項１に記載の工作用ボール紙。
【請求項３】
表面は白紙であり、裏面に等間隔の縦横線又はドットが設けられていることを特徴とする請求項１又は２に記載の工作用ボール紙。
【請求項４】
A版、B版、又は葉書サイズであることを特徴とする請求項１から３のいずれか１項に記載の工作用ボール紙。
【請求項５】
A4又はB5サイズであることを特徴とする請求項４に記載の工作用ボール紙。
【請求項６】
複数枚単位で包装され、工作用紙である旨が包装に表示されていることを特徴とする請求項１から５のいずれか１項に記載の工作用ボール紙。
【考案の詳細な説明】
【技術分野】
【０００１】
本考案は、板紙に関する。特に高齢者又は小児の工作作業に適した薄型の工作用ボール紙に関する。
【背景技術】
【０００２】
板紙とは、堅い厚手の紙をいい、一般的には「段ボール原紙」「雑板紙」「紙器用板紙」の3種類に大別されている。段ボール原紙は、段ボール箱の素材であり、段ボールシートの表裏に使用され、中芯と組み合わせて段ボールシートに加工される。雑板紙は、例えば建築物の屋根や床で使用される、アスファルトやタールを含ませた防水材の原紙となる。紙器用板紙は、容器用に供される板紙であって、例えば表裏の白色度が同程度のもの（マニラボール）と表裏差があるもの（白ボール）がある。その他、黄板紙、チップボール、色板紙などがある。
【０００３】
このような板紙は、通常の紙と比べ厚手で堅いことから、例えば学校等において段ボール工作やボール紙工作など、工作用に供されることがある。これら工作においては、用紙を切る、折る、貼りつけるなどの作業が成される。工作作業は子供の頭脳や手先の発達に良いとされ、また認知症予防にも良いとされることから、子供だけでなく高齢者においても需要がある。
【０００４】
しかしながら、まだ小さい子供や幼児、高齢者においては、手先に力がないため、段ボールやボール紙は厚く堅すぎて、切る作業や折る作業などは非常に困難を伴うか、作業が不可能な場合がある。
【考案の概要】
【考案が解決しようとする課題】
【０００５】
そこで、本考案者らは、小さい子供や幼児、高齢者にあっても、使いやすく、容易に工作作業ができる板紙を提供することを目的とする。
【課題を解決するための手段】
【０００６】
前記課題を解決するため、本考案は、裏面の白色度が表面と同程度のマニラボール紙又は表裏差がある白ボール紙であって、坪量が200-220g/m２、厚さが0.22-0.24mmであって、表面が白色であり、プリンタ印刷可能である工作用ボール紙からなる。
また、坪量が210g/m２、厚さが0.23mmであることが好適である。
また、表面は白紙であり、裏面に等間隔の縦横線又はドットが設けられていることが好適である。
また、A版、B版、又は葉書サイズであること、特にA4又はB5サイズであることが好適である。
【０００７】
本考案では、裏の白色度が表と同程度のマニラボール紙又は表裏差がある白ボール紙を使用する。上述した通り、従来の工作用に供されてきたボール紙は、坪量が230g/m２以上、厚さが0.27mm以上あるために、厚くまた堅く、小さい子供や幼児、高齢者に工作作業が困難であった。しかしながら、JIS P0001（番号4004）においては、「目的によっては坪量225g/m２未満を紙、225g/m２以上を板紙とみなすことがある」と記載されているように、あまり薄く軽くなってしまうと通常の紙と同様になってしまい、工作適性を失ってしまう。そこで、本考案では、坪量を200-220g/m２、厚さを0.22-0.24mmとして、特に坪量が210g/m２、厚さが0.23mmとして提供すると、軽く薄いボール紙でありながら工作適性を失わず、またボール紙でありながら、家庭用を含む各種プリンタにて印刷が可能であることを発見し本考案に至ったものである。表面の印刷が可能になれば、工作表面の図案を好みに合わせて作成したり、折り線など工作に必要な図案を適宜得ることが可能になり、工作教育などへの応用性や汎用性が広がるものである。この観点から、表面は白紙（印字や模様なし）であることが好ましい。
【０００８】
さらに、裏面に等間隔の縦横線又はドットが設けられていれば、表面への印刷を要さずに切り取りや折り目を正確に確認することが出来、工作性とデザイン性を両立されることができるため好適である。また、用紙のサイズがA版、B版、又は葉書サイズであれば、そのままのサイズでプリンターによる印字が可能となる。特に、A4又はB5サイズであれば、大きさも手頃でプリンタ対応性もより高いために、応用性・汎用性が非常に高く好ましい。なお、本考案は工作用以外の用途に使用することを禁じる趣旨ではなく、折りやすい用紙として様々な環境にて使用することが出来るが、文房具の一種として、工作用紙の一種として販売されることで、入手や取り扱いが容易になり目的達成に資する。具体的には、複数枚包装され、包装に工作用紙である旨の表示が行われていれば、これまでは本願の構成・効果を有する学校用・施設用の工作用紙は見受けられなかったことから、学校や施設において入手や取り扱いが非常に容易になる。
【考案の効果】
【０００９】
本考案によれば、小さい子供や幼児、高齢者にあっても、使いやすく、容易に工作作業ができる板紙を提供することが可能である。また、幼児の頭脳や手先の器用さ発達や高齢者の認知症予防などにも有用で、介護施設や学校教育において効率よく教育や指導を行うことが可能になる。
【図面の簡単な説明】
【００１０】
【図１】本考案の工作用ボール紙を示す図である。
【考案を実施するための最良の形態】
【００１１】
本考案の実施の１例を図面に従って説明する。
図１は本考案の工作用ボール紙１を示す。工作用ボール紙１は、白色の表面２と、表面２より粗く薄灰色の裏面３からなる。工作用ボール紙１は白ボールと言われるＡ４の用紙で、坪量が210g/m２、厚さが0.23mmである。表面２の白色度は７０％以上、古紙配合率は６０％以上である。
【００１２】
工作用ボール紙１は、工作適性を失わず、かつＡ４サイズでありプリンタで印字可能な程度の薄さ及び柔らかさを有するため、家庭用プリンタ４で印刷が可能である。したがって、希望する作品に合わせた図形５などを印刷できるため、応用性に優れる。
【００１３】
工作用ボール紙１は従来の工作用ボール紙に比べ薄く、かつプリンタで印字可能な程度の柔らかさを有しているために、幼児や高齢者であっても、ハサミ６を利用して切断や折る作業を容易に行うことができる。さらに、裏面３には縦横一定間隔のドット７が設けられているため、表面デザインに影響を与えず、切り取りや折る際の目安とすることが出来る。
【００１４】
このような構成により、介護施設や学校教育において効率よく教育や指導を行うことが可能になる。また、幼児の頭脳や手先の器用さ発達や高齢者の認知症予防などにも有用である。
【符号の説明】
【００１５】
１    工作用ボール紙
２    表面
３    裏面
４    家庭用プリンタ
５    図形
６    ハサミ
７    ドット
【図１】
0003212254.tif 000003